(57)【要約】【課題】今後結婚である。その意味は、物品は海外生活は必要だ。英語  ドイツ語は勉強する。  直立すると良い姿勢である。【解決手段】分裂にならない要、気ずいて父になる為の生活に作業のある農業家にはコンピューターは都合はいい。【選択図】図１
2010213390.tif 000002
【特許請求の範囲】
【請求項１】
Fx-4800P-nを始めとして、関数計算機えの入力方法
漢数字の数字  数式。日本国先祖の物品よりの計算されてある、小数点の数式である。
ＩＢＭ社の製品の使用者
農業従事者
【発明の詳細な説明】
【技術分野】
【０００１】
本発明は、関数字やerrorの辺りの数字の不明なのに与える数式や入力法となる。
農業や化学の勉強の時  置換などは、実験は別です。
【背景技術】
【０００２】
計算式は、関数計算機専用(Fx-4800P-n)です。マイクロソフトエクセル2007含んで、計算は可能である。
【０００３】
ソルブ機能によって小数点など計算する。
A/Ｃオンの以後より何度か、数式の入力によってerrorの経験後ＬＳＩは数式によって計算を続ける。
【０００４】
A(B*C)±(D*E)±(F*G)                                          ＡＢＣＤＥ（この考えはディスプレイの辺り）
A=2B=36C=36D=10E=36F=7G=35                               
A=1000  
Y               
3197                             
B       
0.25
A                   
2                                                     
C       0.5
B                  
41                                                    
lft        20
Lft             
3197                    
rgt     
240
Rgt            
3197                                                     
この場合Ｙは省かれてある。このように文字と数字は一致する。  
通常のソルブ計算を実行する。
Acos0.5+Acos-0.5=error
何度か入力の仕方は次の方法
Acos0.5+Acos-0.5=error--------------------------入力始め
Acos0.5+Acos-0.5=error
Acos0.5+Acos-0.5=error
Acos0.5+Acos-0.5=error
Acos0.5+Acos-0.5=180
3.141592654 200-------------計算       
Acos0.5+Acos-0.5=error---------------------------覚えない
Acos0.5+Acos-0.5=180
3.141592654 200-------------計算
Acos0.5+Acos-0.5=error--------------------------覚えないが入力する。以下10回ほどめどに計算式時間過ごす。
Acos0.5+Acos-0.5=error
Acos0.5+Acos-0.5=error
Acos0.5+Acos-0.5=error
Acos0.5+Acos-0.5=error
【０００５】
この入力は、特別作製のことはない。偶然可能ではないか？と考えて、2度3度入力になって終わっていた。当然である。上記の入力方法によってほとんど全社計算できるＬＳＩ（プリントサーキット）である。2002年10月ごろの後に出来たから、上記“何度か入力の仕方は次の方法“に完成である。  
【発明の概要】
【発明が解決しようとする課題】
【０００６】
解決しようとする問題点は、持ち歩く計算機ではなくて、落ち着いて実行する小型の関数計算機である。”error”の部分にモザイク画に思い出し変える事で油絵と共通する“聖地“が届いてくる。
クラーク数や元素のある辞書の見出し。色盲や1日中の出来事。言語である平和の分野えの接続法  
【課題を解決するための手段】
【０００７】
本発明は、旅行に出かける。くつろいでいるときメモする、コンピューターに操作する。（数式の使い方が上手な事の姿勢は良い）
【発明の効果】
【０００８】
ＩＢＭ社は出来るし、クラーク数や、元素の式に発展する。
クラーク数は次の方法  
266=(1/0.25)+(1/0.5)+20+240
元素の種類によって、上記数字数式と原子（見出し380ページ  シニア和英辞書より）計算すると？1=180/600+266+380
に効果になった。グラフ関数に効果。コンピューターに効果。
【図面の簡単な説明】
【０００９】
【図１】(0010)の226に気ずいて“銭“を図にした。
【図２】図２はY=(((1/0.075)+(1/0.15)+5.6+74.4)X の式  （Fx-7400Gplus）
【発明を実施するための形態】
【００１０】
暗証番号やパスワードは、nijiubum(ニジユビウム)のerrorによって、精神に安定は確保できた。そう考える。よって、日常に利用する、本人設定によって実施されている。
Acoas0.5+Acos-0.5=180
としてソルブ機能とプログラムによって（Fx-4800P-n関数計算機で）
Solve え            Y=(A/B*C/D)*100
プログラムえ      ＬＢＩ１
｛A,B,C,D｝
Y=A*B*C*D
GOTO1
入力する。その計算の仕方は次の方法
A/C-------------------------1           
FILE-------------------------2
EXE-------------------------3
1---------------------------4
8---------------------------5
0---------------------------6
EXE-------------------------7
6---------------------------8
0---------------------------9
0----------------------------10
EXE--------------------------11
2----------------------------12
6----------------------------13
6----------------------------14
EXE--------------------------15
3----------------------------16
8----------------------------17
0----------------------------18
EXE--------------------------19      
Y=1.091664E+10（プログラムの答え。２次計算してY=1-9*1-6*6*4   よって-48    
Solve-------------------------20
Solve-------------------------21
Y=21(ソルブの答え)
【実施例１】
【００１１】
インターネットバンキングでユーザーＩＤ  パスワードや確認パスワード変更できる。これは、便利です。
プログラム関数計算機では、キー入力回数とソルブ機能の答えは等しく計算する。
【００１２】
三弁で終了のカードは、入場は出来ない。errorである。モザイク画は、見えないという。
プログラム関数計算機は、133gだから、ヘクトグラムは“元素の種類“の式に出来る。  266はヘクトグラムでもある。
【００１３】
ATMでも今日、暗証番号は、変更できる。便利である。円周率計算式経験者のような、終了カードのない人物は出来てくる。ように最高値ではあるが気ずく。  
グラムは、規定になってあって、国際人では周期表にも、ＣＧＳ単位系ｇにみる。大きい事は、無効です。数１の式は、現在はバチカン市国でないから、距離は大きいという。よって、無効に出来る。と言う。
【００１４】
【数１】
2010213390.tif 000003
【００１５】
【表１】
2010213390.tif 000004
【００１６】
上記の数式において、バチカン市国の面積（Ｋｍ）は習得できる。ことは、大門篤史は有名だ。
【００１７】
21歳の時に、全国愛農会より、ＮＯＲＷＡＹに乳牛の飼育に滞在した。22歳６か月の時に南下して訪問である。
【実施例２】
【００１８】
燕尾服ではなかったが、安全保障条約によって、2日滞在しイタリーに習得した。
【産業上の利用可能性】
【００１９】
このことは、マナーの上で、重要です。計算式はそれ以後に計算された事で有名である。
【符号の説明】
【００２０】
１    Acos0.5+Acos0.5=error
２    FX-4800P-n
３    元素の種類
４    全国愛農会
５    インターネットバンキング
【図１】
2010213390.tif 000005
【図２】
2010213390.tif 000006